(57)【要約】【課題】バックアップサーバに接続できない環境に持ち出されたコンピュータのバックアップを行う。【解決手段】コンピュータ２０は、コンピュータ２０の使用に伴って生じるデータ更新に係る、フルバックアップデータからの差分データを携帯型通信装置３０に送信する。携帯型通信装置３０は、受信した更新データを装置内の記憶部３１に格納し、差分データとしてバックアップサーバ１０に転送する。バックアップサーバ１０は、予め保持してあるコンピュータ２０のフルバックアップデータと転送される差分データとを統合して最新のバックアップデータとして記憶装置１１に記憶する。コンピュータ２０は、最新のバックアップデータをバックアップサーバ１０から転送してリストアする。【選択図】図１
2008197894.tif 000002
【特許請求の範囲】
【請求項１】
コンピュータの使用に伴って生じるデータ更新に係る、フルバックアップデータからの差分データを外部に送信するコンピュータと、
前記コンピュータから前記差分データを受信して転送する携帯通信端末装置と、
予め保持してある前記コンピュータのフルバックアップデータと前記携帯通信端末装置から転送される差分データとを統合して最新のバックアップデータとして記憶するバックアップサーバと、
を備えることを特徴とするデータバックアップシステム。
【請求項２】
前記バックアップサーバは、前記コンピュータからの指示に対応して前記最新のバックアップデータを前記コンピュータに送信する手段を備え、
前記コンピュータは、前記最新のバックアップデータを前記バックアップサーバから受信してリストアする手段を備えることを特徴とする請求項１記載のデータバックアップシステム。
【請求項３】
前記コンピュータは、前記データ更新の状況を逐次監視し、前記携帯型通信装置内の第２のバックアップ制御エージェントに対して、更新データを随時送信する第１のバックアップ制御エージェントを備え、
前記携帯通信端末装置は、受信した前記更新データを装置内の記憶部に格納する前記第２のバックアップ制御エージェントを備えることを特徴とする請求項１記載のデータバックアップシステム。
【請求項４】
予めフルバックアップデータをバックアップサーバに転送しておき、コンピュータの使用に伴って生じるデータ更新に係る、前記フルバックアップデータからの差分データを携帯通信端末装置に送信し、前記携帯通信端末装置から受信した前記差分データと前記フルバックアップデータとを統合した最新のバックアップデータを前記バックアップサーバから受信するように構成することを特徴とするコンピュータ。
【請求項５】
コンピュータの使用に伴って生じるデータ更新に係る、フルバックアップデータからの差分データを前記コンピュータから受信し、予め前記コンピュータのフルバックアップデータを保持してあるバックアップサーバに対して前記差分データを送信するように構成することを特徴とする携帯通信端末装置。
【請求項６】
予めコンピュータのフルバックアップデータを受信しておき、前記コンピュータの使用に伴って生じるデータ更新に係る、前記フルバックアップデータからの差分データを携帯通信端末装置から受信し、前記差分データと前記フルバックアップデータとを統合した最新のバックアップデータを前記コンピュータに送信するように構成することを特徴とするバックアップサーバ。
【請求項７】
コンピュータの使用に伴って生じるデータ更新に係る、フルバックアップデータからの差分データを携帯通信端末装置に送信するコンピュータと、
予め保持してある前記フルバックアップデータと受信した前記差分データとを統合して最新のバックアップデータとして記憶する前記携帯通信端末装置と、
を備えることを特徴とするデータバックアップシステム。
【請求項８】
前記コンピュータは、前記最新のバックアップデータを前記携帯通信端末装置から転送してリストアすることを特徴とする請求項７記載のデータバックアップシステム。
【請求項９】
前記コンピュータは、前記データ更新の状況を逐次監視し、前記携帯型通信装置内の第２のバックアップ制御エージェントに対して、更新データを随時送信する第１のバックアップ制御エージェントを備え、
前記携帯通信端末装置は、受信した前記更新データを装置内の記憶部に格納する前記第２のバックアップ制御エージェントを備えることを特徴とする請求項７記載のデータバックアップシステム。
【請求項１０】
コンピュータが、使用時のデータ更新に係る、フルバックアップデータからの差分データを携帯通信端末装置に送信するステップと、
前記携帯通信端末装置が受信した前記差分データをバックアップサーバに転送するステップと、
前記バックアップサーバが、予め保持してある前記フルバックアップデータと転送された前記差分データとを統合して最新のバックアップデータとするステップと、
を含むことを特徴とするデータバックアップ方法。
【請求項１１】
前記バックアップサーバが前記コンピュータからの指示に対応して前記最新のバックアップデータを前記コンピュータに転送するステップと、
前記コンピュータが前記最新のバックアップデータを受信してリストアするステップと、
をさらに含むことを特徴とする請求項１０記載のデータバックアップ方法。
【請求項１２】
コンピュータが、使用時のデータ更新に係る、フルバックアップデータからの差分データを携帯通信端末装置に送信するステップと、
前記携帯通信端末装置が、予め保持してある前記フルバックアップデータと送信された前記差分データとを統合して最新のバックアップデータとするステップと、
を含むことを特徴とするデータバックアップ方法。
【請求項１３】
前記携帯通信端末装置が前記コンピュータからの指示に対応して前記最新のバックアップデータを前記コンピュータに転送するステップと、
前記コンピュータが前記最新のバックアップデータを受信してリストアするステップと、
をさらに含むことを特徴とする請求項１２記載のデータバックアップ方法。
【請求項１４】
コンピュータに、
予めフルバックアップデータをバックアップサーバに転送しておく処理と、
コンピュータの使用に伴って生じるデータ更新に係る、前記フルバックアップデータからの差分データを携帯通信端末装置に送信する処理と、
前記携帯通信端末装置から受信した前記差分データと前記フルバックアップデータとを統合した最新のバックアップデータを前記バックアップサーバから受信してリストアする処理と、
を実行させるプログラム。
【請求項１５】
携帯通信端末装置を構成する携帯通信端末用コンピュータに、
データバックアップの対象とされるコンピュータの使用に伴って生じるデータ更新に係る、フルバックアップデータからの差分データを前記コンピュータから受信する処理と、
予め前記コンピュータのフルバックアップデータを保持してあるバックアップサーバに対して差分データを送信する処理と、
を実行させるプログラム。
【請求項１６】
バックアップサーバを構成するバックアップサーバ用コンピュータに、
予めデータバックアップの対象とされるコンピュータのフルバックアップデータを受信しておく処理と、
前記コンピュータの使用に伴って生じるデータ更新に係る、前記フルバックアップデータからの差分データを携帯通信端末装置から受信する処理と、
前記コンピュータからの指示に対応して前記差分データと前記フルバックアップデータとを統合した最新のバックアップデータを前記コンピュータに送信する処理と、
を実行させるプログラム。
【発明の詳細な説明】
【技術分野】
【０００１】
本発明は、データバックアップシステムおよびデータバックアップ方法ならびにプログラムに係り、特に、コンピュータのデータを外部にバックアップする技術に係る。
【背景技術】
【０００２】
コンピュータにおいて記憶されるデータの信頼性は、必ずしも充分ではない。そこで、このデータのバックアップを、磁気ディスク、磁気テープ、ＣＤＲに保存したり、ネットワークに接続したバックアップサーバ等に保存することがしばしば行われる。例えば、特許文献１には、情報収集及び配布時の情報処理をバックアップ装置内で行い通信回線使用頻度を下げることにより高速な処理を可能にするバックアップ装置が開示されている。このバックアップ装置は、ネットワーク及び、通信媒体により通信機能を提供するパーソナルコンピュータの環境において、パーソナルコンピュータ内の記憶装置に納められた情報を通信機能により情報の収集、配布する機能を有するものである。
【０００３】
また、特許文献２には、ウェアラブルコンピュータと、ウェアラブルコンピュータとデータ通信を行う携帯情報端末とから構成されるデータバックアップシステムが開示されている。このシステムにおいて、携帯情報端末が、記憶部より更新履歴及びバックアップ履歴を読み出し、バックアップ履歴が示す前回バックアップ時と、更新履歴とを比較して、バックアップ時から新たに更新されたデータを検索する。そして、該当するデータをバックアップデータとして抽出し、抽出したバックアップデータを送信する。ウェアラブルコンピュータは、このバックアップデータを受信し、バックアップデータを記憶部に書き込む。
【０００４】
なお、関連する技術として、特許文献３には、ポータブルデータ記憶装置（例えば移動体電話装置）に記憶されているデータの紛失またはデータ記憶装置自体の紛失に対する安全保護技術が記載されている。ここでは、メモリと、ポータブルデータ記憶装置との通信用の無線通信リンクとを有するユーザが携帯するバックアップ装置が提供される。バックアップ装置およびポータブルデータ記憶装置は、無線通信リンクにより周期的または疑似連続的に通信し、ポータブルデータ記憶装置へ入力されたデータをバックアップし、ポータブルデータ記憶装置の取除きをチェックする。
【０００５】
【特許文献１】特開平１１−２３２１５７号公報
【特許文献２】特開２００４−３１８８２８号公報
【特許文献３】特表２００４−５３６５３４号公報
【発明の開示】
【発明が解決しようとする課題】
【０００６】
ところで、特許文献１に記載のバックアップ装置では、パーソナルコンピュータと接続できる環境にあればバックアップが可能とされる。したがって、外出先など、バックアップサーバとの通信が不可能な環境において、ノートパソコンなどのコンピュータを使用する際、そこで更新したデータをバックアップするためには、バックアップサーバとの通信が可能なオフィスへの移動などが必要となる。移動の間、コンピュータ上のデータのバックアップを行うことができず、データの破損に備えることができない。
【０００７】
なお、バックアップサーバを介さずに、当該コンピュータから直接ＣＤ−Ｒなどの外部媒体にデータのバックアップを取得することも可能である。しかし、この場合、バックアップ用の外部媒体を、都度コンピュータに接続し、更新したデータを特定してバックアップを開始するといった、ユーザ操作の手間を要する。これを解決する手段として、コンピュータの内蔵ディスクに自動的にバックアップを取得する方法もあるが、コンピュータが破損した場合には、内蔵ディスクも破損する可能性が高く、内蔵ディスクに保管したバックアップデータが復旧できない虞がある。
【０００８】
一方、特許文献２に記載のデータバックアップシステムによれば、ウェアラブルコンピュータと、このコンピュータとデータ通信を行う携帯情報端末とを携帯することで、ウェアラブルコンピュータが携帯情報端末のデータのバックアップを行うことが可能である。しかしながら、コンピュータのデータバックアップを行うことは開示されておらず、ノートパソコンなどのコンピュータが備える磁気ディスク装置のような記憶装置のフルバックアップを行うのは困難である。
【０００９】
したがって、本発明の目的は、バックアップサーバに接続できない環境に持ち出されたコンピュータを対象とし、このコンピュータが備える記憶装置のバックアップを行うデータバックアップシステムおよびデータバックアップ方法ならびにプログラムを提供することにある。
【課題を解決するための手段】
【００１０】
本発明の１つのアスペクトに係るデータバックアップシステムは、コンピュータの使用に伴って生じるデータ更新に係る、フルバックアップデータからの差分データを外部に送信するコンピュータと、コンピュータから差分データを受信して転送する携帯通信端末装置と、予め保持してあるコンピュータのフルバックアップデータと携帯通信端末装置から転送される差分データとを統合して最新のバックアップデータとして記憶するバックアップサーバと、を備える。
【００１１】
本発明のデータバックアップシステムにおいて、バックアップサーバは、コンピュータからの指示に対応して最新のバックアップデータをコンピュータに送信する手段を備え、コンピュータは、最新のバックアップデータをバックアップサーバから受信してリストアする手段を備えるようにしてもよい。
【００１２】
本発明のデータバックアップシステムにおいて、コンピュータは、データ更新の状況を逐次監視し、携帯型通信装置内の第２のバックアップ制御エージェントに対して、更新データを随時送信する第１のバックアップ制御エージェントを備え、携帯通信端末装置は、受信した更新データを装置内の記憶部に格納する第２のバックアップ制御エージェントを備えるようにしてもよい。
【００１３】
本発明の他のアスペクトに係るコンピュータは、予めフルバックアップデータをバックアップサーバに転送しておき、コンピュータの使用に伴って生じるデータ更新に係る、フルバックアップデータからの差分データを携帯通信端末装置に送信し、携帯通信端末装置から受信した差分データとフルバックアップデータとを統合した最新のバックアップデータをバックアップサーバから受信するように構成する。
【００１４】
本発明の他のアスペクトに係る携帯通信端末装置は、コンピュータの使用に伴って生じるデータ更新に係る、フルバックアップデータからの差分データをコンピュータから受信し、予めコンピュータのフルバックアップデータを保持してあるバックアップサーバに対して差分データを送信するように構成する。
【００１５】
本発明の他のアスペクトに係るバックアップサーバは、予めコンピュータのフルバックアップデータを受信しておき、コンピュータの使用に伴って生じるデータ更新に係る、フルバックアップデータからの差分データを携帯通信端末装置から受信し、差分データとフルバックアップデータとを統合した最新のバックアップデータをコンピュータに送信するように構成する。
【００１６】
本発明の他のアスペクトに係るデータバックアップシステムは、コンピュータの使用に伴って生じるデータ更新に係る、フルバックアップデータからの差分データを携帯通信端末装置に送信するコンピュータと、予め保持してあるフルバックアップデータと受信した差分データとを統合して最新のバックアップデータとして記憶する携帯通信端末装置と、を備える。
【００１７】
本発明のデータバックアップシステムにおいて、コンピュータは、最新のバックアップデータを携帯通信端末装置から転送してリストアするようにしてもよい。
【００１８】
本発明のデータバックアップシステムにおいて、コンピュータは、データ更新の状況を逐次監視し、携帯型通信装置内の第２のバックアップ制御エージェントに対して、更新データを随時送信する第１のバックアップ制御エージェントを備え、携帯通信端末装置は、受信した更新データを装置内の記憶部に格納する第２のバックアップ制御エージェントを備えるようにしてもよい。
【００１９】
本発明の一つのアスペクトに係るデータバックアップ方法は、コンピュータが、使用時のデータ更新に係る、フルバックアップデータからの差分データを携帯通信端末装置に送信するステップと、携帯通信端末装置が受信した差分データをバックアップサーバに転送するステップと、バックアップサーバが、予め保持してあるフルバックアップデータと転送された差分データとを統合して最新のバックアップデータとするステップと、を含む。
【００２０】
本発明のデータバックアップ方法において、バックアップサーバがコンピュータからの指示に対応して最新のバックアップデータをコンピュータに転送するステップと、コンピュータが最新のバックアップデータを受信してリストアするステップと、をさらに含んでもよい。
【００２１】
本発明の他のアスペクトに係るデータバックアップ方法は、コンピュータが、使用時のデータ更新に係る、フルバックアップデータからの差分データを携帯通信端末装置に送信するステップと、携帯通信端末装置が、予め保持してあるフルバックアップデータと送信された差分データとを統合して最新のバックアップデータとするステップと、を含む。
【００２２】
本発明のデータバックアップ方法において、携帯通信端末装置がコンピュータからの指示に対応して最新のバックアップデータをコンピュータに転送するステップと、コンピュータが最新のバックアップデータを受信してリストアするステップと、をさらに含んでもよい。
【００２３】
本発明の一つのアスペクトに係るプログラムは、コンピュータに、予めフルバックアップデータをバックアップサーバに転送しておく処理と、コンピュータの使用に伴って生じるデータ更新に係る、フルバックアップデータからの差分データを携帯通信端末装置に送信する処理と、携帯通信端末装置から受信した差分データとフルバックアップデータとを統合した最新のバックアップデータをバックアップサーバから受信してリストアする処理と、を実行させる。
【００２４】
本発明の他のアスペクトに係るプログラムは、携帯通信端末装置を構成する携帯通信端末用コンピュータに、データバックアップの対象とされるコンピュータの使用に伴って生じるデータ更新に係る、フルバックアップデータからの差分データをコンピュータから受信する処理と、予めコンピュータのフルバックアップデータを保持してあるバックアップサーバに対して差分データを送信する処理と、を実行させる。
【００２５】
本発明のさらに他のアスペクトに係るプログラムは、バックアップサーバを構成するバックアップサーバ用コンピュータに、予めデータバックアップの対象とされるコンピュータのフルバックアップデータを受信しておく処理と、コンピュータの使用に伴って生じるデータ更新に係る、フルバックアップデータからの差分データを携帯通信端末装置から受信する処理と、コンピュータからの指示に対応して差分データとフルバックアップデータとを統合した最新のバックアップデータをコンピュータに送信する処理と、を実行させる。
【発明の効果】
【００２６】
本発明によれば、フルバックアップデータからの差分データを携帯通信端末装置において保持し、その後差分データを携帯通信端末装置からバックアップサーバに転送する。したがって、バックアップサーバに接続できない環境に持ち出されたコンピュータが備える大容量の記憶装置のバックアップを行うことが可能となる。
【００２７】
また、本発明によれば、フルバックアップデータとフルバックアップデータからの差分データとを携帯通信端末装置において保持し、保持したバックアップデータによってバックアップを行う。したがって、バックアップサーバに接続できない環境に持ち出されたコンピュータが備える記憶装置のバックアップを容易に行うことが可能となる。
【発明を実施するための最良の形態】
【００２８】
本発明の実施形態に係るデータバックアップシステムは、ＣＤＰ（Ｃｏｎｔｉｎｕｏｕｓ  Ｄａｔａ  Ｐｒｏｔｅｃｔｉｏｎ）によるデータの継続トラッキング機能を携帯型通信装置に適用し、コンピュータ（ノートパソコン）におけるデータの更新を、場所を選ばず継続的に取得可能とするものである。携帯電話やＰＤＡなどの携帯型通信装置をコンピュータのデータのバックアップ先として活用し、さらに、ＣＤＰの考え方を採用し、コンピュータの更新されたデータを逐次携帯型通信装置に記録することで、コンピュータ上のデータの最新状態に限りなく近い内容のバックアップを取得し、データの復旧に備える。
【００２９】
なお、ここでＣＤＰとは、継続データ保護の技術であって、更新データを継続的にキャプチャもしくはトラッキングし、プライマリデータとは独立に保管することで、過去の任意の時点にデータをリカバリすることが可能な技術である。
【００３０】
ノートパソコンなどのコンピュータを使用する前に、予め、バックアップサーバにおいて当該コンピュータのデータのフルバックアップを取得する。その後、コンピュータを使用する際には、コンピュータ上の更新されたデータの情報を、記憶装置を備えた携帯電話やＰＤＡなどの携帯型通信装置に、Ｂｌｕｅｔｏｏｔｈ、ＵＳＢなどの通信手段を用いて、逐次送信して記録させる。手軽に持ち運ぶことのできる、これらの携帯型通信装置をバックアップ先とすることで、時間・場所を選ぶことなく、コンピュータの差分データをリアルタイムにバックアップし保管することが可能となる。最終的に、携帯型通信装置をバックアップサーバに接続し、コンピュータの更新情報を、バックアップサーバ上で管理されているフルバックアップの情報と統合する。これによって、コンピュータの最新の状態に近いバックアップセットを作成することができる。以下、実施例に即し、図面を参照して詳しく説明する。
【実施例１】
【００３１】
図１は、本発明の第１の実施例に係るデータバックアップシステムの構成を示すブロック図である。図１において、データバックアップシステムは、バックアップサーバ１０、コンピュータ２０、携帯型通信装置３０を備える。
【００３２】
バックアップサーバ１０は、バックアップ用の記憶装置１１を備え、コンピュータ２０のデータのバックアップを保持する。なお、図１では、記憶装置１１をバックアップサーバ１０の外部に接続するように図示しているが、内蔵していてもよい。すなわち、記憶装置１１は、バックアップサーバ１０に内蔵されたディスク装置、バックアップサーバ１０にファイバチャネルやＳＣＳＩ（Small Computer System Interface）などで接続されたディスク装置、もしくはテープ装置等であっても良い。
【００３３】
コンピュータ２０は、記憶装置２１、バックアップ制御エージェント２２、図示されないＣＰＵ（プロセッサ）、ならびにＢｌｕｅｔｏｏｔｈ、赤外線などの無線やＵＳＢ（Universal Serial Bus）、ＬＡＮインタフェースなどの有線による通信機能を備え、バックアップサーバ１０、携帯型通信装置３０と接続可能とされるノートパソコンなどの装置である。
【００３４】
携帯型通信装置３０は、携帯電話やＰＤＡ（Personal Digital Assistant）などの携帯通信端末装置であって、バックアップサーバ１０、コンピュータ２０と接続可能とされる。また、携帯型通信装置３０は、記憶装置３１、バックアップ制御エージェント３２、図示されないＣＰＵ（プロセッサ）、ならびにＢｌｕｅｔｏｏｔｈ、赤外線などの無線やＵＳＢ（Universal Serial Bus）などの有線による通信機能を備えた装置であり、コンピュータ２０と共に持ち運びが可能な端末である。
【００３５】
次に、以上のような構成のデータバックアップシステムにおけるデータバックアップ方法について説明する。図２は、本発明の第１の実施例に係るデータバックアップ方法のフローを模式的に示す図である。
【００３６】
ステップＳ１１において、バックアップサーバ１０は、コンピュータ２０における記憶装置２１のデータのフルバックアップを取得し、記憶装置１１に保持する。
【００３７】
ステップＳ１２において、携帯型通信装置３０は、通信手段を介して、コンピュータ２０の更新データのバックアップを継続的に取得する。すなわち、コンピュータ２０の記憶装置２１に対するデータの更新を行う場合、携帯型通信装置３０上のバックアップ制御エージェント３２とコンピュータ２０上のバックアップ制御エージェント２２とを通信手段を介して接続する。そして、バックアップ制御エージェント２２が、コンピュータ２０のデータ更新状況をリアルタイムに監視・取得し、バックアップ制御エージェント３２に対して、更新データを随時送信する。バックアップ制御エージェント３２は、受信したデータを携帯型通信装置３０内の記憶装置３１に格納する。
【００３８】
ステップＳ１３において、携帯型通信装置３０に格納した、コンピュータ２０の更新分の情報およびデータを、バックアップサーバ１０に格納してあるフルバックアップの情報と統合する。バックアップ制御エージェント３２とバックアップサーバ１０とを通信手段により接続する。そして、バックアップサーバ１０は、バックアップ制御エージェント３２の情報から、コンピュータ２０のフルバックアップ以降に記録された更新データを特定し、特定したデータを記憶装置３１から取得し、記憶装置１１に格納する。同時に、バックアップサーバ１０上で管理されているコンピュータ２０のバックアップ履歴情報も更新する。これによって、コンピュータ２０の最新の状態に近いバックアップセットを作成する。
【００３９】
さらに、コンピュータ２０のデータの復旧が必要となった場合には、ステップＳ１４において、バックアップサーバ１０上で、コンピュータ２０のバックアップセットを特定し、バックアップセットのリストアを開始する。バックアップサーバ１０は、リストアによって、コンピュータ２０のフルバックアップと更新データとを合わせてコンピュータ２０に書き戻す。
【００４０】
なお、以上のようなデータバックアップシステムにおいて、バックアップサーバ１０、コンピュータ２０、携帯型通信装置３０のそれぞれは、プロセッサを内蔵し、プロセッサにプログラムを実行させてそれぞれの機能を実現するようにしてもよい。
【００４１】
以上のようなデータバックアップ方法によれば、ノートパソコン等が有するデータの更新部分を継続的にバックアップすることで、バックアップの周期を極めて短くし、最新に近いバックアップデータを保持することができる。したがって、ノートパソコン等のリカバリポイント目標を向上することができる。
【００４２】
また、フルバックアップとその後の更新データを、統合したバックアップセットとして管理することで、必要なデータを個別に特定し、個別に復旧する手間が不要となる。したがって、ノートパソコンのリカバリ時間目標を短縮することができる。
【００４３】
さらに、携帯型通信装置を活用して、任意の場所でバックアップを取得することができる。また、バックアップ制御エージェントが、データの更新部分を自動的に携帯型通信装置に送信するため、ユーザが意識してバックアップ操作を行う必要がなくなる。したがって、バックアップの取得作業を簡便に行うことができる。
【実施例２】
【００４４】
図３は、本発明の第２の実施例に係るデータバックアップシステムの構成を示すブロック図である。図３において、データバックアップシステムは、コンピュータ２０ａ、携帯型通信装置３０ａを備える。コンピュータ２０ａ、携帯型通信装置３０ａは、それぞれ実施例１におけるコンピュータ２０、携帯型通信装置３０に相当し、同一の符号は同一物を表す。ただし、携帯型通信装置３０ａがコンピュータ２０ａのフルバックアップおよび差分バックアップを両方とも取得する
【００４５】
次に、以上のような構成のデータバックアップシステムにおけるデータバックアップ方法について説明する。図４は、本発明の第２の実施例に係るデータバックアップ方法のフローを模式的に示す図である。
【００４６】
ステップＳ２１において、コンピュータ２０ａにおける記憶装置２１のデータのフルバックアップを携帯型通信装置３０ａに取得しておく。コンピュータ２０ａと携帯型通信装置３０ａ間の通信方法は、ＵＳＢ、Ｂｌｕｅｔｏｏｔｈなどの通信手段による。
【００４７】
ステップＳ２２において、コンピュータ２０ａの保持するデータに対して更新されるデータを継続的に携帯型通信装置３０ａに送信し、携帯型通信装置３０ａに保管されているフルバックアップに反映させる。したがって、携帯型通信装置３０ａ上で、コンピュータ２０ａの最新のデータの状態に近いバックアップセットが作成される。
【００４８】
コンピュータ２０ａのデータの復旧が必要になった場合は、ステップＳ２３において、携帯型通信装置３０ａから最新のバックアップセットをコンピュータ２０ａに送信してコンピュータ２０ａ上にリストアする。
【００４９】
なお、以上のようなデータバックアップシステムにおいて、コンピュータ２０ａ、携帯型通信装置３０ａのそれぞれは、プロセッサを内蔵し、プロセッサにプログラムを実行させてそれぞれの機能を実現するようにしてもよい。
【００５０】
以上のようなデータバックアップ方法によれば、ノートパソコン等におけるバックアップ対象となるデータが大容量でない場合、携帯型通信装置を用いてデータバックアップをより簡易に行うことができる。
【産業上の利用可能性】
【００５１】
本発明によれば、オフィスを離れて業務を行う機会の多い営業職などが使用するノートパソコンにおけるデータ保護の用途に適用できる。
【図面の簡単な説明】
【００５２】
【図１】本発明の第１の実施例に係るデータバックアップシステムの構成を示すブロック図である。
【図２】本発明の第１の実施例に係るデータバックアップ方法のフローを模式的に示す図である。
【図３】本発明の第２の実施例に係るデータバックアップシステムの構成を示すブロック図である。
【図４】本発明の第２の実施例に係るデータバックアップ方法のフローを模式的に示す図である。
【符号の説明】
【００５３】
１０  バックアップサーバ
１１、２１、３１  記憶装置
２０、２０ａ  コンピュータ
２２、３２  バックアップ制御エージェント
３０、３０ａ  携帯型通信装置
【図１】
2008197894.tif 000003
【図２】
2008197894.tif 000004
【図３】
2008197894.tif 000005
【図４】
2008197894.tif 000006